(57)【要約】【課題】ファクシミリデータの受信の要否を選択する際の利便性を向上させることができるファクシミリ装置を提供する。【解決手段】ファクシミリ装置１００は、制御部１０と、通信部３０とを備える。制御部１０は、外部ファクシミリ装置Ｅとの間でファクシミリ通信を開始する前に、発信者番号Ｃの通知の有無と、予め記憶されている許可番号Ｐ又は拒否番号Ｒとに基づいて、ファクシミリデータＤの受信処理として自動受信処理と非自動受信処理とのうちの一方を選択する。通信部３０は、制御部１０が自動受信処理を選択した場合に、ファクシミリ通信を開始し、ファクシミリデータＤを受信する。許可番号Ｐは、自動受信処理を実行することを許可する番号を示す。拒否番号Ｒは、自動受信処理を実行することを拒否する番号を示す。【選択図】図１
2019054342.tif 000002
【特許請求の範囲】
【請求項１】
外部ファクシミリ装置との間でファクシミリ通信を開始する前に、ファクシミリデータの受信処理として自動受信処理と非自動受信処理とのうちの一方を選択する制御部と、
前記制御部が前記自動受信処理を選択した場合に、前記ファクシミリ通信を開始し、前記ファクシミリデータを受信する通信部と
を備え、
前記制御部は、発信者番号の通知の有無と、予め記憶されている許可番号又は拒否番号とに基づいて前記一方を選択し、
前記許可番号は、前記自動受信処理を実行することを許可する番号を示し、
前記拒否番号は、前記自動受信処理を実行することを拒否する番号を示す、ファクシミリ装置。
【請求項２】
前記発信者番号を表示する表示部と、
前記制御部が前記非自動受信処理を選択した場合に、前記非自動受信処理が選択されたことを通知する通知部と
を更に備える、請求項１に記載のファクシミリ装置。
【請求項３】
前記通知部は、前記外部ファクシミリ装置との間で前記ファクシミリ通信を開始する前に着信音を発する電話機であり、
前記制御部は、前記自動受信処理を選択した場合に、前記着信音を発しないように前記通知部を制御する、請求項２に記載のファクシミリ装置。
【請求項４】
前記制御部は、前記非自動受信処理を選択した場合に、前記非自動受信処理を実行する時間帯に基づいて、前記通知部を制御するか、前記通信部を制御するかを決定し、
前記通知部を制御することは、前記制御部が、前記非自動受信処理が選択されたことを通知するように前記通知部を制御することを示し、
前記通信部を制御することは、前記制御部が、前記ファクシミリ通信を開始した上で前記ファクシミリデータを受信せずに前記ファクシミリ通信を強制終了するように前記通信部を制御することを示す、請求項２又は請求項３に記載のファクシミリ装置。
【請求項５】
前記許可番号を記憶する記憶部と、
前記ファクシミリ通信を開始する通信開始指示が入力される入力部と
を更に備え、
前記制御部は、前記非自動受信処理を選択した場合に、前記通信開始指示が前記入力部に入力されると、第１登録処理を実行するとともに、前記通信部が前記ファクシミリ通信を開始し前記ファクシミリデータを受信するように前記通信部を制御し、
前記第１登録処理は、前記発信者番号を前記許可番号として前記記憶部に記憶する処理を示す、請求項１から請求項４のいずれか１項に記載のファクシミリ装置。
【請求項６】
前記記憶部は、前記拒否番号を更に記憶しており、
前記制御部は、前記非自動受信処理を選択した場合に、前記通信開始指示が前記入力部に入力されると、第２登録処理を実行するとともに、前記通信部が前記ファクシミリ通信を開始し前記ファクシミリデータを受信するように前記通信部を制御し、
前記第２登録処理は、前記拒否番号と一致しない前記発信者番号を前記許可番号として前記記憶部に記憶する処理を示す、請求項５に記載のファクシミリ装置。
【請求項７】
前記拒否番号を記憶する記憶部と、
前記ファクシミリ通信を開始する通信開始指示が入力される入力部と
を更に備え、
前記制御部は、前記非自動受信処理を選択した場合に、前記通信開始指示が前記入力部に入力されると、削除処理を実行するとともに、前記通信部が前記ファクシミリ通信を開始し前記ファクシミリデータを受信するように前記通信部を制御し、
前記削除処理は、前記発信者番号と一致する前記拒否番号を前記記憶部から削除する処理を示す、請求項１から請求項４のいずれか１項に記載のファクシミリ装置。
【請求項８】
前記制御部は、前記発信者番号の前記通知が無いと判定すると、前記ファクシミリデータの前記非自動受信処理を選択する、請求項１から請求項７のいずれか１項に記載のファクシミリ装置。
【発明の詳細な説明】
【技術分野】
【０００１】
本発明は、ファクシミリ装置に関する。
【背景技術】
【０００２】
ファクシミリ通信によるデータの受信を予め登録された電話番号に応じて許可又は拒否するファクシミリ装置が知られている。例えば、特許文献１に記載のファクシミリ装置は、ワンタッチダイヤル又は短縮ダイヤルの番号として、外部ファクシミリ装置の電話番号を予め登録する。特許文献１に記載のファクシミリ装置は、ファクシミリ通信開始時に発信元情報（ＴＳＩ：Ｔｒａｎｓｍｉｔｔｉｎｇ  Ｓｕｂｓｃｒｉｂｅｒ  Ｉｄｅｎｔｉｆｉｃａｔｉｏｎ）に含まれて送信される発呼機電話番号と、予め登録された電話番号（許可番号）とを比較する。特許文献１に記載のファクシミリ装置は、発呼機電話番号と予め登録された電話番号とが一致する場合にはデータを自動受信し、一致しない場合にはデータを受信せずにファクシミリ通信を終了する。
【先行技術文献】
【特許文献】
【０００３】
【特許文献１】特開平７−３３６５１４号公報
【発明の概要】
【発明が解決しようとする課題】
【０００４】
しかしながら、特許文献１に記載の画像形成装置では、発呼機電話番号と許可番号とが一致しない場合、ユーザーがデータの受信の要否について更なる精査を行うことができない。従って、特許文献１に記載のファクシミリ装置では、ファクシミリデータの受信の要否を選択する際の利便性が低かった。
【０００５】
本発明は上記課題に鑑みてなされたものであり、ファクシミリデータの受信の要否を選択する際の利便性を向上させることができるファクシミリ装置を提供することを目的とする。
【課題を解決するための手段】
【０００６】
本発明に係るファクシミリ装置は、制御部と、通信部とを備える。前記制御部は、外部ファクシミリ装置との間でファクシミリ通信を開始する前に、ファクシミリデータの受信処理として自動受信処理と非自動受信処理とのうちの一方を選択する。前記通信部は、前記制御部が前記自動受信処理を選択した場合に、前記ファクシミリ通信を開始し、前記ファクシミリデータを受信する。前記制御部は、発信者番号の通知の有無と、予め記憶されている許可番号又は拒否番号とに基づいて、前記一方を選択する。前記許可番号は、前記自動受信処理を実行することを許可する番号を示す。前記拒否番号は、前記自動受信処理を実行することを拒否する番号を示す。
【発明の効果】
【０００７】
本発明のファクシミリ装置によれば、ファクシミリデータの受信の要否を選択する際の利便性を向上させることができる。
【図面の簡単な説明】
【０００８】
【図１】本発明の実施形態に係るファクシミリ装置の構成図である。
【図２】本発明の実施形態に係るファクシミリ装置を示す図である。
【図３】（ａ）及び（ｂ）は、本発明の実施形態に係るファクシミリ装置の操作パネルを示す図である。
【図４】本発明の実施形態に係るファクシミリ装置が実行する、ファクシミリデータの自動受信処理と非自動受信処理とを示すフローチャートである。
【図５】本発明の実施形態に係るファクシミリ装置が実行する、発信者番号の登録処理を示すフローチャートである。
【図６】本発明の実施形態に係るファクシミリ装置が実行する、ファクシミリデータの自動受信処理と非自動受信処理とを示すフローチャートである。
【図７】本発明の実施形態に係るファクシミリ装置が実行する、拒否番号の削除処理を示すフローチャートである。
【図８】本発明の実施形態に係るファクシミリ装置が実行する、ファクシミリデータの自動受信処理と非自動受信処理とを示すフローチャートである。
【図９】本発明の実施形態に係るファクシミリ装置が実行する、ファクシミリデータの自動受信処理と非自動受信処理とを示すフローチャートである。
【発明を実施するための形態】
【０００９】
以下、本発明の実施形態について、図面を参照しながら説明する。なお、図中、同一又は相当部分については同一の参照符号を付して説明を繰り返さない。
【００１０】
図１を参照して、本発明の実施形態に係るファクシミリ装置１００の構成を説明する。図１は、ファクシミリ装置１００の構成図である。ファクシミリ装置１００は、例えば、ファクシミリ機能を有する複合機のような画像形成装置、又はファクシミリ機能を有する電話機である。以下では、一例として、ファクシミリ装置１００が画像形成装置（デスク上に載置可能な小型の複合機）である場合について説明する。ファクシミリ装置１００は、公衆回線網Ｎを介して外部ファクシミリ装置Ｅと互いに通信可能に接続されている。
【００１１】
ファクシミリ装置１００は、通信部３０、記憶部５０、制御部１０、入力部２０、表示部６０、音声通話部４０、読取部７０、画像形成ユニット８０、給送部９０、搬送部９１、及び排出部９２を備える。なお、音声通話部４０、読取部７０、画像形成ユニット８０、給送部９０、搬送部９１、及び排出部９２については図２を参照して、入力部２０及び表示部６０については図２及び図３を参照して、それぞれ後述する。
【００１２】
通信部３０は、外部ファクシミリ装置Ｅとの間でファクシミリ通信を開始する前に、発信者番号Ｃを受信する。ファクシミリ通信は、電話回線の接続後に外部ファクシミリ装置Ｅとファクシミリ装置１００との間で行われる。発信者番号Ｃは、ファクシミリ送信者によって使用される外部ファクシミリ装置Ｅを示す識別情報である。具体的には、発信者番号Ｃは、電話局の電話交換機から発せられる外部ファクシミリ装置Ｅの電話番号である。発信者番号Ｃは、外部ファクシミリ装置Ｅからの着呼の際に、発信者番号通知サービス（電話会社によるサービス）によってファクシミリ装置１００に通知される。以下、電話局の電話交換機から発信者番号Ｃが発信されることを「番号通知発信」と記載することがある。番号通知発信は、登録番号通知発信と未登録番号通知発信とを含む。登録番号通知発信では、許可番号Ｐとして、又は拒否番号Ｒとして予め記憶されている（登録されている）発信者番号Ｃが発信される。未登録番号通知発信では、許可番号Ｐとして、又は拒否番号Ｒとして予め記憶されていない電話番号（未登録番号）が発信される。許可番号Ｐと拒否番号Ｒとについては、後述する。
【００１３】
一方、通信部３０は、発信者番号Ｃを受信しないことがある。例えば、発信者番号Ｃを通知しないように外部ファクシミリ装置Ｅが設定されている場合（以下、「番号非通知の場合」と記載することがある。）に、通信部３０は、発信者番号Ｃを受信しない。また、例えば外部ファクシミリ装置Ｅが設置されている地域、又は外部ファクシミリ装置Ｅの公共性に起因して、電話交換機が発信者番号Ｃを通知できない場合（以下、「番号通知不可の場合」と記載することがある。）がある。
【００１４】
通信部３０は、ファクシミリデータＤを受信する。ファクシミリデータＤは、外部ファクシミリ装置Ｅからファクシミリ通信によってファクシミリ装置１００に送信される。ファクシミリデータＤは、外部ファクシミリ装置Ｅからの送信条件（例えば、ＴＳＩ、利用する機能、及び画像データの伝送速度）を示す情報と、画像データとを含む。
【００１５】
通信部３０は、ＮＣＵ（Ｎｅｔｗｏｒｋ  Ｃｏｎｔｒｏｌ  Ｕｎｉｔ）３１と、モデム３２と、符号化／復号化部３３とを有する。
【００１６】
ＮＣＵ３１は、外部ファクシミリ装置Ｅとの接続を制御する。ＮＣＵ３１は、公衆回線網Ｎを介した外部ファクシミリ装置Ｅからの着呼を検出し、着呼を示す信号を制御部１０へ送信する。
【００１７】
モデム３２は、アナログ信号からデジタル信号への復調、及びデジタル信号からアナログ信号への変調を実行する。モデム３２は、外部ファクシミリ装置Ｅから受信したアナログ信号をデジタル信号に復調する。
【００１８】
符号化／復号化部３３は、デジタル信号の符号化、及びデジタル信号の復号化を実行する。符号化／復号化部３３は、モデム３２が復調したデジタル信号を復号化する。
【００１９】
記憶部５０は、ＨＤＤ（Ｈａｒｄ  Ｄｉｓｋ  Ｄｒｉｖｅ）、ＲＡＭ（Ｒａｎｄｏｍ  Ａｃｃｅｓｓ  Ｍｅｍｏｒｙ）、及びＲＯＭ（Ｒｅａｄ  Ｏｎｌｙ  Ｍｅｍｏｒｙ）によって構成される。記憶部５０は、ＨＤＤに代えてＳＳＤ（Ｓｏｌｉｄ  Ｓｔａｔｅ  Ｄｒｉｖｅ）を含んでいてもよい。記憶部５０は、外部メモリーを更に含んでいてもよい。外部メモリーは、リムーバブルメディアである。記憶部５０は、外部メモリーとして、例えば、ＵＳＢ（Ｕｎｉｖｅｒｓａｌ  Ｓｅｒｉａｌ  Ｂｕｓ）メモリー、及びＳＤ（Ｓｅｃｕｒｅ  Ｄｉｇｉｔａｌ）カードを含み得る。
【００２０】
記憶部５０は、各種のデータと、ファクシミリ装置１００の各部の動作を制御するための制御プログラムとを記憶する。制御プログラムは、制御部１０によって実行される。記憶部５０には、各種のデータとして、許可番号Ｐと拒否番号Ｒとが予め記憶されている。許可番号Ｐは、自動受信処理を実行することを許可する発信者番号Ｃを示す。拒否番号Ｒは、自動受信処理を実行することを拒否する発信者番号Ｃを示す。自動受信処理は、ユーザーによる通信開始指示を介することなくファクシミリ通信を開始し、ファクシミリデータＤを受信する（自動受信する）処理を示す。
【００２１】
制御部１０は、ＣＰＵ（Ｃｅｎｔｒａｌ  Ｐｒｏｃｅｓｓｉｎｇ  Ｕｎｉｔ）のようなプロセッサー、及びＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等によって構成されるハードウェア回路である。制御部１０は、記憶部５０に記憶された制御プログラムをプロセッサーが読み出して実行することによって、ファクシミリ装置１００の各部の動作を制御する。
【００２２】
制御部１０は、外部ファクシミリ装置Ｅとの間でファクシミリ通信を開始する前に、発信者番号Ｃの通知の有無と、記憶部５０に記憶されている許可番号Ｐ又は拒否番号Ｒとに基づいて、ファクシミリデータＤの受信処理として自動受信処理と非自動受信処理とのうちの一方を選択する。非自動受信処理は、自動受信処理と異なる受信処理を示す。非自動受信処理は、手動受信処理と強制終了処理とを含む。手動受信処理は、ユーザーによる通信開始指示に従いファクシミリデータＤを受信する処理と、ユーザーによる通信切断指示に従いファクシミリデータＤを受信しない処理とを含む。ユーザーによる通信開始指示に従いファクシミリデータＤを受信する処理は、発信者番号Ｃの登録処理、又は拒否番号Ｒの削除処理を含む。登録処理は、発信者番号Ｃを許可番号Ｐとして記憶部５０に記憶する処理を示す。削除処理は、発信者番号Ｃと一致する拒否番号Ｒを記憶部５０から削除する処理を示す。強制終了処理は、ファクシミリデータＤの受信を完了することなく通信プロトコルの所定の段階で通信を強制終了する処理である。なお、自動受信処理と非自動受信処理との詳細については、図４〜図９を参照して後述する。
【００２３】
以上、図１を参照して説明したように、本実施形態によれば、制御部１０は、外部ファクシミリ装置Ｅとの間でファクシミリ通信を開始する前に、発信者番号Ｃの通知の有無と、予め記憶されている許可番号Ｐ又は拒否番号Ｒとに基づいて、自動受信処理と非自動受信処理とのうちの一方を選択する。制御部１０が自動受信処理を選択した場合には、通信部３０は、ファクシミリ通信を開始し、ファクシミリデータＤを受信する。一方、制御部１０が非自動受信処理を選択した場合には、ファクシミリ装置１００は、非自動受信処理として、例えば、手動受信処理又は強制終了処理を実行する。従って、ファクシミリ装置１００は、番号通知発信の場合、番号非通知の場合、又は番号通知不可の場合に応じて、ユーザーの意向を反映した受信対応に柔軟に対処できる。その結果、ファクシミリデータＤの受信の要否を選択する際の利便性を向上させることができる。
【００２４】
さらに、本実施形態によれば、発信者番号Ｃは、外部ファクシミリ装置Ｅとの間でファクシミリ通信を開始する前に通信部３０に通知される。つまり、発信者番号Ｃは、電話交換機から発せられる電話番号であるため、外部ファクシミリ装置Ｅの使用者によって任意に登録された電話番号（例えば、ＴＳＩによって通知される電話番号）とは異なる。従って、発信者番号Ｃは、他者になりすますように改竄又は偽造され得る電話番号と異なり、外部ファクシミリ装置Ｅの正規な電話番号（電話回線の番号）である可能性が高い。その結果、ファクシミリ通信の開始前である早期の段階で、ファクシミリ送信者を誤認することを抑制できる。
【００２５】
引き続き図１を参照しつつ、図２を併せて参照して、ファクシミリ装置１００の全体構成の詳細を説明する。図２は、ファクシミリ装置１００を示す図である。
【００２６】
読取部７０は、原稿Ｇに形成された画像（例えば、ファクシミリ送信の対象となる画像）を読み取る。給送部９０は、複数のシートＳを収容し、搬送部９１へシートＳを給送する。シートＳは、例えば、紙製又は合成樹脂製のＡ４サイズのシートである。搬送部９１は、複数の搬送ローラー対を含み、画像形成ユニット８０にシートＳを搬送する。画像形成ユニット８０は、電子写真方式によってシートＳに画像（例えば、外部ファクシミリ装置Ｅから受信した画像データに対応する画像）を形成し、画像を加熱及び加圧してシートＳに画像を定着させる。具体的には、画像形成ユニット８０は、感光体ドラムと、帯電装置と、露光装置と、現像装置と、転写装置と、クリーニング装置と、除電装置と、定着装置とを含む。搬送部９１は、画像の定着されたシートＳを排出部９２に搬送する。排出部９２はファクシミリ装置１００の外部にシートＳを排出する。
【００２７】
音声通話部４０は、制御部１０が非自動受信処理を選択した場合に、非自動受信処理が選択されたことを通知する。音声通話部４０は、「通知部」の一例に相当する。具体的には、音声通話部４０は、電話機であり、例えば、オプションで接続可能なハンドセットである。音声通話部４０は、電話機本体４１と受話器４２と報知用スピーカー（図示せず）とを含む。電話機本体４１は、受話器４２を載置する台であり、フックボタン及びダイヤルボタンのような種々のハードウェアボタンを有する。受話器４２は、伸縮自在なコードを介して電話機本体４１と接続されており、受話口（受話用スピーカー）と送話口（マイク）とを有する。ユーザーは、受話器４２を介して外部ファクシミリ装置Ｅから送信される音声（例えば、ファクシミリ送信者の声、及びＣＮＧ信号音）を聞くことができる。また、ファクシミリ送信者と通話することができる。報知用スピーカーは、ファクシミリ装置１００の周辺に向けて着信音を発する。
【００２８】
音声通話部４０は、外部ファクシミリ装置Ｅとの間でファクシミリ通信を開始する前に着信音を発する。詳細には、制御部１０は、通信部３０が外部ファクシミリ装置Ｅから着呼を示す信号を受信すると、自動受信処理を選択しない限り、報知用スピーカーから着信音（例えば、ベル音、又は電子音）を発するように音声通話部４０を制御する。一方、制御部１０は、自動受信処理を選択した場合に、着信音を発しないように音声通話部４０を制御する。あるいは、制御部１０は、自動受信処理を選択した場合に、着信音を発する前にファクシミリデータＤを受信するよう通信部３０を制御して、着信音を発しないようにしてもよい。従って、ファクシミリ装置１００は、自動受信処理が選択された場合に、ユーザーを聴覚的に呼び出さないよう配慮しつつ、自動受信処理を実行することができる。その結果、静寂さが要求される環境（例えば、図書館又は会議室）において、ファクシミリデータＤを自動受信する際の静寂さを維持することができる。
【００２９】
引き続き図１と図２とを参照しつつ、図３（ａ）及び（ｂ）を併せて参照して、ファクシミリ装置１００の入力部２０と表示部６０との詳細を説明する。図３（ａ）及び（ｂ）は、ファクシミリ装置１００の操作パネルを示す図である。
【００３０】
図３（ａ）に示すように、入力部２０は、例えば、タッチパネル機能と種々のハードウェアボタンとを有する操作パネルである。入力部２０には、通信開始指示又は通信切断指示が入力される。入力部２０は、手動受信ボタン２１と通信切断ボタン２２と報知用スピーカー（図示せず）とを含む。通信開始指示は、ファクシミリ通信を開始し、ファクシミリデータＤを受信するための指示である。通信開始指示は、例えば、手動受信ボタン２１を用いて入力される。通信切断指示は、ファクシミリ通信を開始する前に通信を切断する（電話回線の接続を終了する）ための指示である。通信切断指示は、例えば、通信切断ボタン２２を用いて入力される。入力部２０の報知用スピーカーは、音声通話部４０の報知用スピーカーと同様に、ファクシミリ装置１００の周辺に向けて着信音を発する。
【００３１】
表示部６０は、ソフトウェアボタンを表示可能なタッチパネル機能を有するディスプレーであり、操作パネルに配置される。このような表示部６０は、入力部２０を兼ね得る。ソフトウェアボタンは、例えば、手動受信ボタン２１及び通信切断ボタン２２として機能する。なお、手動受信ボタン２１と通信切断ボタン２２とは、操作パネルに配置されるハードウェアボタン群２３に含まれてもよい。
【００３２】
番号通知発信の場合、表示部６０は、発信者番号Ｃを表示する。詳細には、発信者番号Ｃが通信部３０に通知されると、記憶部５０は、発信者番号Ｃを記憶する。表示部６０は、記憶部５０に記憶された発信者番号Ｃを表示する。
【００３３】
入力部２０は、制御部１０が非自動受信処理を選択した場合に、非自動受信処理が選択されたことを通知する。詳細には、通信部３０が外部ファクシミリ装置Ｅから着呼を示す信号を受信すると、入力部２０は、制御部１０によって自動受信処理が選択されない限り、入力部２０の報知用スピーカーから着信音を発する。入力部２０は、「通知部」の機能を兼ねており、音声通話部４０と同様に「通知部」の一例に相当する。ユーザーは、表示部６０に表示された発信者番号Ｃを目視し、手動受信ボタン２１をタッチするか通信切断ボタン２２をタッチするかを判断する。一方、制御部１０は、自動受信処理を選択した場合に、着信音を発しないように入力部２０を制御する。なお、音声通話部４０は、ファクシミリ装置１００が入力部２０を備える実施形態において、省略されてもよい。
【００３４】
入力部２０は、更に表示ランプ２４を含んでいてもよい。制御部１０が非自動受信処理を選択した場合に、入力部２０は、報知用スピーカーから着信音を発することに代えて、表示ランプ２４を点滅又は点灯させる。表示ランプ２４を用いることにより、入力部２０は、非自動受信処理が選択されたことをユーザーの聴覚に頼ることなく視覚的に通知できる。従って、静寂さが要求される環境において、静寂さを維持しつつユーザーを呼び出すことができる。
【００３５】
図３（ｂ）に示すように、発信者番号Ｃの通知が無い場合、表示部６０は、発信者番号Ｃに代えて所定の記号を表示する。具体的には、番号非通知の場合、表示部６０は、番号非通知である旨を示す非通知記号ＣＡ（例えば、「非通知」の文字）を表示する。また、番号通知不可の場合、表示部６０は、番号通知不可を示す通知不可記号（図示せず）を表示する。例えば、公衆電話機を利用してファクシミリ通信を行う場合に、発信者番号Ｃは通知されない。また、国際電話サービスを利用してファクシミリ通信を行う場合に、発信者番号Ｃは通知されない。通知不可記号は、外部ファクシミリ装置Ｅが公衆電話機である場合には、例えば「公衆電話」の文字であり、外部ファクシミリ装置Ｅが国際電話サービスを利用してファクシミリ通信を行う場合には、例えば「表示圏外」、又は「通知不可能」の文字である。
【００３６】
未登録番号通知発信、番号非通知、又は番号通知不可の場合、ユーザーによる通信開始指示は、音声通話部４０を介した通話後に入力部２０に入力されてもよい。具体的には、非自動受信処理が選択されたことの通知（着信音）に応じて、ユーザーは、表示部６０に表示された発信者番号Ｃ、非通知記号ＣＡ、又は通知不可記号を目視し、受話器４２を電話機本体４１から取り上げる。ユーザーは、ファクシミリ送信者の音声の内容（例えば、ファクシミリ送信者の氏名、ファクシミリ送信者の用件）に応じて手動受信ボタン２１をタッチするか通信切断ボタン２２をタッチするかを判断する。従って、ファクシミリデータＤを受信するか否かを更に精査できる。
【００３７】
以上、図２及び図３を参照して説明したように、本実施形態によれば、表示部６０は、発信者番号Ｃを表示する。通知部（入力部２０又は音声通話部４０）は、制御部１０が非自動受信処理を選択した場合に、非自動受信処理が選択されたことを通知する。ユーザーは、発信者番号Ｃを目視し、手動受信ボタン２１をタッチするか通信切断ボタン２２をタッチするかを判断できる。従って、ファクシミリデータＤの受信の是非を利便性良く判断できる。
【００３８】
さらに、本実施形態によれば、制御部１０は、発信者番号Ｃの通知が無いと判定すると、ファクシミリデータＤの非自動受信処理を選択する。ファクシミリ装置１００は、非自動受信処理として、例えば、手動受信処理を実行する。従って、番号非通知又は番号通知不可の場合に、ファクシミリ送信者に応じて、ファクシミリデータＤの受信の是非を精査できる。
【００３９】
続いて、図１〜図５を参照して、ファクシミリ装置１００が実行する自動受信処理と非自動受信処理との一例について説明する。図４は、ファクシミリデータＤの自動受信処理と非自動受信処理とを示すフローチャートである。ステップＳ１０１〜ステップＳ１１３が実行されることによって、制御部１０は、自動受信処理と非自動受信処理とを切り替えてファクシミリデータＤの受信処理を実行する。ステップＳ１０３の処理に続いてステップＳ１０５の処理を実行することは、「自動受信処理」に相当する。一方、ステップＳ１０１又はステップＳ１０３の処理に続いてステップＳ１０７以降の処理を実行することは、「非自動受信処理」に相当する。具体的には、以下の通りである。
【００４０】
ステップＳ１０１において、制御部１０は、通信部３０が発信者番号Ｃを受信したか否か（番号通知発信か否か）を外部ファクシミリ装置Ｅからの着呼の際に判定する。通信部３０が発信者番号Ｃを受信した場合（ステップＳ１０１でＹｅｓ）に、表示部６０は、発信者番号Ｃを表示し、処理はステップＳ１０３に進む。一方、通信部３０が発信者番号Ｃを受信しなかった場合（ステップＳ１０１でＮｏ）に、表示部６０は、非通知記号ＣＡ又は通知不可記号を表示し、処理はステップＳ１０７に進む。
【００４１】
ステップＳ１０１でＹｅｓの場合に、ステップＳ１０３において、制御部１０は、受信した発信者番号Ｃと、記憶部５０に予め記憶されている許可番号Ｐとが一致するか否かを判定する。発信者番号Ｃと許可番号Ｐとが一致する場合（ステップＳ１０３でＹｅｓ）に、処理はステップＳ１０５に進む。一方、発信者番号Ｃと許可番号Ｐとが一致しない場合（ステップＳ１０３でＮｏ）に、処理はステップＳ１０７に進む。
【００４２】
ステップＳ１０３でＹｅｓの場合に、ステップＳ１０５において、制御部１０は、ファクシミリ受信を実行する。具体的には、制御部１０は、通信部３０がファクシミリ通信を開始し、ファクシミリデータＤを受信するように通信部３０を制御する。そして、処理は終了する。
【００４３】
ステップＳ１０１でＮｏの場合、又はステップＳ１０３でＮｏの場合に、ステップＳ１０７において、通知部は、非自動受信処理が選択されたことを通知する。処理は、ステップＳ１０９に進む。
【００４４】
次に、ステップＳ１０９において、制御部１０は、通信開始指示が入力部２０に入力されたか否かを判定する。通信開始指示が入力部２０に入力された場合（ステップＳ１０９でＹｅｓ）に、処理はステップＳ１１１に進む。一方、通信開始指示が入力部２０に入力されなかった場合（ステップＳ１０９でＮｏ）に、処理はステップＳ１１３に進む。
【００４５】
ステップＳ１０９でＹｅｓの場合に、ステップＳ１１１において、制御部１０は、発信者番号Ｃの登録処理を実行する。なお、登録処理の詳細については、図５を参照して後述する。処理はステップＳ１０５に進み、制御部１０は、ファクシミリ受信を実行する。そして、処理は終了する。
【００４６】
ステップＳ１０９でＮｏの場合に、ステップＳ１１３において、通信部３０は、外部ファクシミリ装置Ｅとの通信を切断する。具体的には、通信部３０は、外部ファクシミリ装置Ｅとの電話回線の接続を終了する。そして、処理は終了する。
【００４７】
ここで、図５を参照して、ステップＳ１１１で実行する登録処理の詳細について説明する。図５は、発信者番号Ｃの登録処理を示すフローチャートである。ステップＳ１１１１〜ステップＳ１１１５が実行されることによって、制御部１０は、登録処理を実行する。
【００４８】
ステップＳ１１１１において、制御部１０は、外部ファクシミリ装置Ｅからの着呼の際（ステップＳ１０１）に通信部３０が発信者番号Ｃを受信していたか否かを判定する。通信部３０が発信者番号Ｃを受信していた場合（ステップＳ１１１１でＹｅｓ）に、処理はステップＳ１１１３に進む。一方、通信部３０が発信者番号Ｃを受信していなかった場合（ステップＳ１１１１でＮｏ）に、登録処理は終了する。
【００４９】
ステップＳ１１１１でＹｅｓの場合に、ステップＳ１１１３において、制御部１０は、受信した発信者番号Ｃと、記憶部５０に予め記憶されている拒否番号Ｒとが一致するか否かを判定する。発信者番号Ｃと拒否番号Ｒとが一致する場合（ステップＳ１１１３でＹｅｓ）に、登録処理は終了する。一方、発信者番号Ｃと拒否番号Ｒとが一致しない場合（ステップＳ１１１３でＮｏ）に、処理はステップＳ１１１５に進む。
【００５０】
ステップＳ１１１３でＮｏの場合に、ステップＳ１１１５において、制御部１０は、発信者番号Ｃを登録する。具体的には、制御部１０は、発信者番号Ｃを許可番号Ｐとして記憶部５０に記憶する。そして、登録処理は終了する。
【００５１】
以上、図１〜図５を参照して説明したように、本実施形態によれば、記憶部５０には、許可番号Ｐが記憶されている。制御部１０は、非自動受信処理を選択した場合に、通信開始指示が入力部２０に入力されると、発信者番号Ｃを許可番号Ｐとして記憶部５０に記憶する登録処理（「第１登録処理」に相当）を実行する。制御部１０は、登録処理の実行とともに、通信部３０がファクシミリ通信を開始しファクシミリデータＤを受信するように通信部３０を制御する。従って、非自動受信処理であっても受信の要否を選択できるとともに、必要な発信者番号Ｃを容易に登録できる。
【００５２】
さらに、本実施形態によれば、記憶部５０には、拒否番号Ｒが更に記憶されている。制御部１０は、非自動受信処理を選択した場合に、通信開始指示が入力部２０に入力されると、拒否番号Ｒと一致しない発信者番号Ｃの登録処理（「第２登録処理」に相当）を実行する。制御部１０は、登録処理の実行とともに、通信部３０がファクシミリ通信を開始しファクシミリデータＤを受信するように通信部３０を制御する。従って、不要な発信者番号Ｃを誤登録することを抑制できる。
【００５３】
続いて、図１〜図３、図６、及び図７を参照して、ファクシミリ装置１００が実行する自動受信処理と非自動受信処理との更なる一例について説明する。図６は、ファクシミリデータＤの自動受信処理と非自動受信処理とを示すフローチャートである。図６及び図７を参照して説明する処理は、図６に示すステップＳ２０３で制御部１０が発信者番号Ｃと拒否番号Ｒとの一致を判定する点と、ステップＳ２１１で制御部１０が拒否番号Ｒの削除処理（図７に示すステップＳ２１１１及びステップＳ２１１３）を実行する点とにおいて、図４を参照して説明した処理と異なる。図６及び図７を参照して説明する処理は、図４に示すステップＳ１０３の処理（制御部１０が発信者番号Ｃと許可番号Ｐとの一致を判定する処理）、及びステップＳ１１１の処理（制御部１０が発信者番号Ｃを登録する処理（図５に示すステップＳ１１１１〜ステップＳ１１１５））に代えて、ステップＳ２０３及びステップＳ２１１を実行する。
【００５４】
ステップＳ２０１〜ステップＳ２１３が実行されることによって、制御部１０は、自動受信処理と非自動受信処理とを切り替えてファクシミリデータＤの受信処理を実行する。ステップＳ２０３の処理に続いてステップＳ２０５の処理を実行することは、「自動受信処理」に相当する。一方、ステップＳ２０１又はステップＳ２０３の処理に続いてステップＳ２０７以降の処理を実行することは、「非自動受信処理」に相当する。なお、図１〜図５を参照して説明した自動受信処理及び非自動受信処理と同様の処理については、説明が冗長となることを避けるため、説明を省略する。具体的には、以下の通りである。
【００５５】
ステップＳ２０１は、図４を参照して説明したステップＳ１０１に対応しており、同様の処理を実行する。通信部３０が発信者番号Ｃを受信した場合（ステップＳ２０１でＹｅｓ）に、表示部６０は、発信者番号Ｃを表示し、処理はステップＳ２０３に進む。一方、通信部３０が発信者番号Ｃを受信しなかった場合（ステップＳ２０１でＮｏ）に、表示部６０は、非通知記号ＣＡ又は通知不可記号を表示し、処理はステップＳ２０７に進む。
【００５６】
ステップＳ２０１でＹｅｓの場合に、ステップＳ２０３において、制御部１０は、受信した発信者番号Ｃと、記憶部５０に予め記憶されている拒否番号Ｒとが一致するか否かを判定する。発信者番号Ｃと拒否番号Ｒとが一致しない場合（ステップＳ２０３でＮｏ）に、処理はステップＳ２０５に進む。一方、発信者番号Ｃと拒否番号Ｒとが一致する場合（ステップＳ２０３でＹｅｓ）に、処理はステップＳ２０７に進む。
【００５７】
ステップＳ２０５は、図４を参照して説明したステップＳ１０５に対応しており、ステップＳ２０３でＮｏの場合に同様の処理を実行する。そして、処理は終了する。
【００５８】
ステップＳ２０７及びステップＳ２０９の各々は、図４を参照して説明したステップＳ１０７及びステップＳ１０９の各々に対応しており、ステップＳ２０１でＮｏの場合、又はステップＳ２０３でＹｅｓの場合に、同様の処理を実行する。通信開始指示が入力部２０に入力された場合（ステップＳ２０９でＹｅｓ）に、処理はステップＳ２１１に進む。一方、通信開始指示が入力部２０に入力されなかった場合（ステップＳ２０９でＮｏ）に、処理はステップＳ２１３に進む。
【００５９】
ステップＳ２０９でＹｅｓの場合に、ステップＳ２１１において、制御部１０は、拒否番号Ｒの削除処理を実行する。なお、削除処理の詳細については、図７を参照して後述する。処理はステップＳ２０５に進み、図４を参照して説明したステップＳ１０５と同様の処理を実行する。そして、処理は終了する。
【００６０】
ステップＳ２１３は、図４を参照して説明したステップＳ１１３に対応しており、ステップＳ２０９でＮｏの場合に同様の処理を実行する。そして、処理は終了する。
【００６１】
ここで、図７を参照して、ステップＳ２１１で実行する削除処理の詳細について説明する。図７は、拒否番号Ｒの削除処理を示すフローチャートである。ステップＳ２１１１及びステップＳ２１１３が実行されることによって、制御部１０は、削除処理を実行する。
【００６２】
ステップＳ２１１１は、図５を参照して説明したステップＳ１１１１に対応しており、同様の処理を実行する。通信部３０が発信者番号Ｃを受信していた場合（ステップＳ２１１１でＹｅｓ）に、処理はステップＳ２１１３に進む。一方、通信部３０が発信者番号Ｃを受信していなかった場合（ステップＳ２１１１でＮｏ）に、削除処理は終了する。
【００６３】
ステップＳ２１１１でＹｅｓの場合に、ステップＳ２１１３において、制御部１０は、拒否番号Ｒを削除する。具体的には、制御部１０は、発信者番号Ｃと一致する拒否番号Ｒを記憶部５０から削除する。そして、削除処理は終了する。
【００６４】
以上、図１〜図３、図６、及び図７を参照して説明したように、本実施形態によれば、記憶部５０には、拒否番号Ｒが記憶されている。制御部１０は、非自動受信処理を選択した場合に、通信開始指示が入力部２０に入力されると、発信者番号Ｃと一致する拒否番号Ｒを記憶部５０から削除する削除処理を実行する。制御部１０は、削除処理の実行とともに、通信部３０がファクシミリ通信を開始しファクシミリデータＤを受信するように通信部３０を制御する。従って、既登録の拒否番号Ｒを容易に再評価できる。
【００６５】
続いて、図１〜図５、及び図８を参照して、ファクシミリ装置１００が実行する自動受信処理と非自動受信処理との更なる一例について説明する。図８は、ファクシミリデータＤの自動受信処理と非自動受信処理とを示すフローチャートである。図８を参照して説明する処理では、ステップＳ３０３で発信者番号Ｃと許可番号Ｐとが一致しないと判定された後に、非自動受信処理を実行する時間帯が規定の時間帯か否かを判定する（ステップＳ３０６）。さらに、非自動受信処理を実行する時間帯が規定の時間帯でない場合に、通信を強制終了し（ステップＳ３１５）、非自動受信処理を実行する時間帯が規定の時間帯である場合に、非自動受信処理が選択されたことを通知部が通知する。一方、図４を参照して説明した処理では、ステップＳ１０３で発信者番号Ｃと許可番号Ｐとが一致しないと判定された場合、ステップＳ１０７で通知部が非自動受信処理が選択されたことを通知する。この点において、図８を参照して説明する処理は、図４を参照して説明した処理と異なる。規定の時間帯は、ユーザーの操作に応じてファクシミリ装置１００に予め設定された時間帯である。規定の時間帯は、例えば、昼間の時間帯、又はユーザーが在室する時間帯である。
【００６６】
ステップＳ３０１〜ステップＳ３１３が実行されることによって、制御部１０は、自動受信処理と非自動受信処理とを切り替えてファクシミリデータＤの受信処理を実行する。ステップＳ３０３の処理に続いてステップＳ３０５の処理を実行することは、「自動受信処理」に相当する。一方、ステップＳ３０１又はステップＳ３０３の処理に続いてステップＳ３０６以降の処理を実行することは、「非自動受信処理」に相当する。なお、図１〜図５を参照して説明した自動受信処理及び非自動受信処理と同様の処理については、説明が冗長となることを避けるため、説明を省略する。具体的には、以下の通りである。
【００６７】
ステップＳ３０１〜ステップＳ３０５の各々は、図４を参照して説明したステップＳ１０１〜ステップＳ１０５の各々に対応しており、同様の処理を実行する。ステップＳ３０１において通信部３０が発信者番号Ｃを受信しなかった場合（ステップＳ３０１でＮｏ）、又はステップＳ３０３において発信者番号Ｃと許可番号Ｐとが一致しない場合（ステップＳ３０３でＮｏ）に、処理はステップＳ３０６に進む。
【００６８】
次に、ステップＳ３０６において、制御部１０は、非自動受信処理を実行する時間帯が規定の時間帯であるか否かを判定する。非自動受信処理を実行する時間帯が規定の時間帯である場合（ステップＳ３０６でＹｅｓ）に、処理はステップＳ３０７に進む。一方、非自動受信処理を実行する時間帯が規定の時間帯でない場合（ステップＳ３０６でＮｏ）に、処理はステップＳ３１５に進む。
【００６９】
ステップＳ３０７〜ステップＳ３１３及びステップＳ３０５の各々は、図４を参照して説明したステップＳ１０７〜ステップＳ１１３及びステップＳ１０５の各々に対応しており、ステップＳ３０６でＹｅｓの場合に同様の処理を実行する。
【００７０】
ステップＳ３０６でＮｏの場合に、ステップＳ３１５において、制御部１０は、通信の強制終了処理を実行する。具体的には、強制終了処理は、通信プロトコルの所定の段階で実行される処理である。強制終了処理は、例えば、通信部３０が外部ファクシミリ装置ＥへＤＩＳ（Ｄｉｇｉｔａｌ  Ｉｄｅｎｔｉｆｉｃａｔｉｏｎ  Ｓｉｇｎａｌ）信号、又はＣＳＩ（Ｃａｌｌｅｄ  Ｓｕｂｓｃｒｉｂｅｒ  Ｉｄｅｎｔｉｆｉｃａｔｉｏｎ）信号を送信しない処理である。そして、処理は終了する。
【００７１】
続いて、図１〜図３、図６、図７、及び図９を参照して、ファクシミリ装置１００が実行する自動受信処理と非自動受信処理との更なる一例について説明する。図９は、ファクシミリデータＤの自動受信処理と非自動受信処理とを示すフローチャートである。図９を参照して説明する処理では、ステップＳ４０３で発信者番号Ｃと拒否番号Ｒとが一致すると判定された後に、非自動受信処理を実行する時間帯が規定の時間帯か否かを判定する（ステップＳ４０６）。さらに、非自動受信処理を実行する時間帯が規定の時間帯でない場合に、通信を強制終了し（ステップＳ４１５）、非自動受信処理を実行する時間帯が規定の時間帯である場合に、非自動受信処理が選択されたことを通知部が通知する。一方、図６を参照して説明した処理では、ステップＳ２０３で発信者番号Ｃと拒否番号Ｒとが一致すると判定された場合、ステップＳ２０７で通知部が非自動受信処理が選択されたことを通知する。この点において、図９を参照して説明する処理は、図６を参照して説明した処理と異なる。
【００７２】
ステップＳ４０１〜ステップＳ４１３が実行されることによって、制御部１０は、自動受信処理と非自動受信処理とを切り替えてファクシミリデータＤの受信処理を実行する。ステップＳ４０３の処理に続いてステップＳ４０５の処理を実行することは、「自動受信処理」に相当する。一方、ステップＳ４０１又はステップＳ４０３の処理に続いてステップＳ４０６以降の処理を実行することは、「非自動受信処理」に相当する。なお、図１〜図３、図６、及び図７を参照して説明した自動受信処理及び非自動受信処理と同様の処理については、説明が冗長となることを避けるため、説明を省略する。具体的には、以下の通りである。
【００７３】
ステップＳ４０１〜ステップＳ４０５の各々は、図６を参照して説明したステップＳ２０１〜ステップＳ２０５の各々に対応しており、同様の処理を実行する。ステップＳ４０１において通信部３０が発信者番号Ｃを受信しなかった場合（ステップＳ４０１でＮｏ）、又はステップＳ４０３において発信者番号Ｃと拒否番号Ｒとが一致する場合（ステップＳ４０３でＹｅｓ）に、処理はステップＳ４０６に進む。
【００７４】
次に、ステップＳ４０６は、図８を参照して説明したステップＳ３０６に対応しており、同様の処理を実行する。非自動受信処理を実行する時間帯が規定の時間帯である場合（ステップＳ４０６でＹｅｓ）に、処理はステップＳ４０７に進む。一方、非自動受信処理を実行する時間帯が規定の時間帯でない場合（ステップＳ４０６でＮｏ）に、処理はステップＳ４１５に進む。
【００７５】
ステップＳ４０７〜ステップＳ４１３及びステップＳ４０５の各々は、図６を参照して説明したステップＳ２０７〜ステップＳ２１３及びステップＳ２０５の各々に対応しており、ステップＳ４０６でＹｅｓの場合に同様の処理を実行する。
【００７６】
ステップＳ４１５は、図８を参照して説明したステップＳ３１５に対応しており、ステップＳ４０６でＮｏの場合に同様の処理を実行する。そして、処理は終了する。
【００７７】
以上、図１〜図９を参照して説明したように、本実施形態によれば、制御部１０は、非自動受信処理を選択した場合に、非自動受信処理を実行する時間帯に基づいて、非自動受信処理が選択されたことを通知するように通知部を制御することを決定する。または、制御部１０は、非自動受信処理を選択した場合に、非自動受信処理を実行する時間帯に基づいて、ファクシミリ通信を開始した上でファクシミリデータＤを受信せずにファクシミリ通信を強制終了するように通信部３０を制御することを決定する。従って、ファクシミリ装置１００は、例えば、ファクシミリデータＤを夜間に受信して出力することを禁止したり、不在の時間帯にユーザーを呼び出すことを禁止することができる。その結果、非自動受信の利便性を簡易な構成で向上させることができる。
【００７８】
以上、図面（図１〜図９）を参照しながら本発明の実施形態を説明した。但し、本発明は、上記の実施形態に限られるものではなく、その要旨を逸脱しない範囲で種々の態様において実施することが可能である（例えば、下記に示す（１））。また、上記の各実施形態に開示されている複数の構成要素を適宜組み合わせることによって、種々の発明の形成が可能である。例えば、実施形態に示される全構成要素から幾つかの構成要素を削除してもよい。さらに、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる。また、上記の実施形態で示す各構成要素の材質、形状、寸法等は一例であって、特に限定されるものではなく、本発明の構成から実質的に逸脱しない範囲で種々の変更が可能である。
【００７９】
（１）図１〜図３を参照して説明した電話機（音声通話部４０）は、受話器４２を含んでいたが、本発明はこれに限られない。電話機は、外部ファクシミリ装置Ｅからの着呼の際に、ユーザーが外部ファクシミリ装置Ｅからの音声を聴取可能な構成でありさえすればよい。音声通話部４０は、例えば、入力部２０の報知用スピーカー（図示せず）と、ハードウェアボタン群２３に含まれる１つのオンフックボタンとの組合せであってもよい。受話器４２を取り上げる操作は、オンフックボタンを押下する操作によって代替可能である。オンフックボタンが押下されると、外部ファクシミリ装置Ｅからの音声が報知用スピーカーから聞こえる。従って、未登録番号通知発信、番号非通知、又は番号通知不可の場合に、受話器４２の上げ下ろしを要することなく外部ファクシミリ装置Ｅからの音声を確認できる。
【産業上の利用可能性】
【００８０】
本発明は、ファクシミリ装置の分野に利用可能である。
【符号の説明】
【００８１】
１０    制御部
２０    入力部
３０    通信部
５０    記憶部
６０    表示部
１００  ファクシミリ装置
Ｃ      発信者番号
Ｄ      ファクシミリデータ
Ｅ      外部ファクシミリ装置
Ｐ      許可番号
Ｒ      拒否番号
【図１】
2019054342.tif 000003
【図２】
2019054342.tif 000004
【図３】
2019054342.tif 000005
【図４】
2019054342.tif 000006
【図５】
2019054342.tif 000007
【図６】
2019054342.tif 000008
【図７】
2019054342.tif 000009
【図８】
2019054342.tif 000010
【図９】
2019054342.tif 000011